(57)【要約】【課題】露光面を容易に清掃することができる画像形成装置を提供する。  【解決手段】上ケースがメカユニットに対して開閉するＬＥＤプリンタにおいて、上ケースが開姿勢のときに、ＬＥＤユニット２０の露光面２０ａが主走査方向において清掃手段３０に対向する位置に配置される。上ケース１に取り付けられた清掃手段３０は、ＬＥＤユニット２０の露光面２０ａを清掃するためのスポンジ部材３８と、スポンジ部材３８を支持する支持部材４２と、支持部材４２を移動可能に案内する案内部材３６と、掻き落とされた除去物を受け止める除去物受止部材３５とで構成されている。このように、清掃が必要なときにだけユーザが清掃できるような構成にすることにより、スポンジ部材３８の摩耗を抑制することができる。【選択図】図４
2009086151.tif 000002
【特許請求の範囲】
【請求項１】
開口部が備えられた第１機体と、
前記第１機体の開口部を覆うように、第１機体に開閉可能に取り付けられた第２機体と、
前記第２機体に備えられ、主走査方向に沿ってライン状に露光する露光手段と、
前記第１機体に備えられ、前記露光手段によって潜像が形成される感光体と、を備え、
前記第２機体は、前記第１機体に対して閉じた状態である閉姿勢と、開いた状態である開姿勢とに移動可能に備えられ、
前記露光手段は、前記第２機体に対して２つの位置に移動可能であって、前記第２機体が前記閉姿勢のときに前記感光体に対して露光可能な露光位置と、前記第２機体が前記開姿勢のときに前記露光位置から退避する退避位置とに移動する画像形成装置であって、
前記第２機体には、前記露光手段の露光面を清掃するための清掃手段が備えられ、
前記清掃手段は、前記露光手段の露光面を清掃するための清掃部材と、
前記清掃部材を支持する支持部材と、
前記支持部材を移動可能に案内する案内部材とを有し、    
前記露光手段は、前記退避位置に移動されたときに、露光面が前記清掃手段によって清掃可能な位置に配置されることを特徴とする画像形成装置。
【請求項２】
前記支持部材は、主走査方向の一端部に前記清掃部材が設けられ、
他端部には前記支持部材を移動させるための取手部を有し、
前記支持部材を前記一端部の方向へ付勢する付勢手段が設けられ、
前記取手部を移動させることによって、前記付勢手段に抗して前記支持部材が移動することを特徴とする請求項１に記載の画像形成装置。
【請求項３】
前記露光手段は、前記第２機体を前記開姿勢にしたときに、主走査方向において露光面が前記清掃部材よりも前記他端部側に配置されることを特徴とする請求項２に記載の画像形成装置。
【請求項４】
前記清掃手段の下方には、前記清掃手段から除去される除去物を受け止めるための除去物受止手段が備えられていることを特徴とする請求項１〜３のいずれかに記載の画像形成装置。
【請求項５】
前記取手部は、前記第２機体を前記閉姿勢にしたときには前記第１機体内に収納され、前記第２機体を前記開姿勢にしたときのみ外部から操作可能になることを特徴とする請求項１〜４のいずれかに記載の画像形成装置。
【発明の詳細な説明】
【技術分野】
【０００１】
本発明は、電子写真方式の複写機、プリンタ等の画像形成装置に関する。
【背景技術】
【０００２】
従来、電子写真方式の複写機やプリンタ等の画像形成装置では、画像書き込み方式（露光方式）として、レーザ走査方式やＬＥＤ露光方式が実用化されている。ＬＥＤ露光方式は、複数の発光素子を直線的に並べた発光手段からの発光を、結像手段を用いて感光体表面に露光することにより、感光体表面に潜像を形成する方式である。
【０００３】
図１０は、従来の画像形成装置の要部構成を示す図であり、記録用紙の搬送方向と直交する方向から見た図である。図１０に示す画像形成装置１０１は、カラー記録対応のもので、装置本体１０２には、記録用紙の搬送方向を示す矢印Ａ方向において、その上流側から順にイエロー（Ｙ）、マゼンタ（Ｍ）、シアン（Ｃ）、ブラック（Ｋ）に対応する４つのドラムユニット１０３が着脱可能に配置されている。
【０００４】
各ドラムユニット１０３には、矢印Ｃ方向に回転する感光体ドラム１０３ａが備えられ、対応して回転する転写ローラ１０４との協働で、図示しない搬送ベルトに吸着されて矢印Ａ方向に搬送される記録用紙に、順次所定色の画像を転写する。
【０００５】
一方スタッカカバー１０７は、記録用紙の搬送方向である矢印Ｄ方向と直交する方向に延在する回転軸１０８によって装置本体１０２に回動自在に保持され、各ドラムユニット１０３の感光体１０３ａの周面に対応する位置で４つのＬＥＤヘッド１１１を保持している。よってスタッカカバー１０７は、装置本体１０２に対して開閉可能になっており、スタッカカバー１０７を装置本体１０２に対して開いたときには、各ドラムユニット１０３の交換ができるように設けられている。（例えば特許文献１参照）
【０００６】
また、このようにＬＥＤヘッド１１１がスタッカカバー１０７に保持されている画像形成装置において、スタッカカバー１０７の開閉に連動してＬＥＤヘッド１１１が回動するものが考えられた。この場合ＬＥＤヘッド１１１は、スタッカカバー１０７を閉じたときに露光位置に配置され、スタッカカバー１０７を開いたときにスタッカカバー１０７と略平行になる退避位置に配置される。このような構成にすることで、スタッカカバー１０７を開いたときに、ＬＥＤヘッド１１１が各ドラムユニット１０３の交換を妨げることがないようにしている。
【０００７】
ところで、このようなＬＥＤヘッド１１１を用いた画像形成装置においては、スタッカカバー１０７を閉じたときにＬＥＤヘッド１１１の露光面が感光体ドラムに接近して配置するようになっている。また、感光体ドラム１０３ａ上の静電潜像を現像するために、現像装置の現像ローラを感光ドラム１０３ａに接近させて配置している。このため、ＬＥＤヘッド１１１の露光面は現像ローラ表面のトナーが付着するおそれがあり、定期的に清掃する必要がある。
【特許文献１】特開２００３−１１２４４６号公報
【発明の開示】
【発明が解決しようとする課題】
【０００８】
ところが、ＬＥＤヘッド１１１がスタッカカバー１０７に保持されている従来の画像形成装置は、露光面を清掃する清掃部材が設けられていなかった。そのためユーザ自身が清掃部材を準備し、露光面を清掃する必要があった。また、スタッカカバー１０７の開閉に
連動してＬＥＤヘッド１１１が回動する画像形成装置においては、スタッカカバー１０７を開いたときにＬＥＤヘッド１１１が退避位置に配置されるので、ユーザが清掃しにくいという問題点もある。
【０００９】
そこで本発明は、上記課題を解決するために、露光面を容易に清掃することができる画像形成装置を提供することを目的とする。
【課題を解決するための手段】
【００１０】
上記課題を解決するために、請求項１に記載の発明は、開口部が備えられた第１機体と、第１機体の開口部を覆うように、第１機体に開閉可能に取り付けられた第２機体と、第２機体に備えられ、主走査方向に沿ってライン状に露光する露光手段と、第１機体に備えられ、露光手段によって潜像が形成される感光体と、を備え、第２機体は、第１機体に対して閉じた状態である閉姿勢と、開いた状態である開姿勢とに移動可能に備えられ、露光手段は、第２機体に対して２つの位置に移動可能であって、第２機体が閉姿勢のときに感光体に対して露光可能な露光位置と、第２機体が開姿勢のときに露光位置から退避する退避位置とに移動する画像形成装置であって、第２機体には、露光手段の露光面を清掃するための清掃手段が備えられ、清掃手段は、露光手段の露光面を清掃するための清掃部材と、清掃部材を支持する支持部材と、支持部材を移動可能に案内する案内部材とを有し、露光手段は、退避位置に移動されたときに、露光面が清掃手段によって清掃可能な位置に配置されることを特徴とすることを特徴とする。
【００１１】
請求項２に記載の発明は、支持部材は、主走査方向の一端部に清掃部材が設けられ、他端部には支持部材を移動させるための取手部を有し、支持部材を一端部の方向へ付勢する付勢手段が設けられ、取手部を移動させることによって、付勢手段に抗して支持部材が移動することを特徴とする。
【００１２】
請求項３に記載の発明は、露光手段は、第２機体を開姿勢にしたときに、主走査方向において露光面が清掃部材よりも他端部側に配置されることを特徴とする。
【００１３】
請求項４に記載の発明は、清掃手段の下方には、清掃手段から除去される除去物を受け止めるための除去物受止手段が備えられていることを特徴とする。
【００１４】
請求項５に記載の発明は、取手部は、第２機体を閉姿勢にしたときには第１機体内に収納され、第２機体を開姿勢にしたときのみ外部から操作可能になることを特徴とする。
【発明の効果】
【００１５】
請求項１に記載の発明によれば、第１機体と、第１機体に開閉可能に取り付けられた第２機体と、第２機体に備えられた露光手段と、第１機体に備えられ、露光手段によって潜像が形成される感光体と、を備え、第２機体は、第１機体に対して閉じた状態である閉姿勢と、開いた状態である開姿勢とに移動可能に備えられ、露光手段は、第２機体に対して２つの位置に移動可能であって、第２機体が閉姿勢のときに感光体に対して露光可能な露光位置と、第２機体が開姿勢のときに露光位置から退避する退避位置とに移動する画像形成装置であって、第２機体には、露光手段の露光面を清掃するための清掃手段が備えられ、清掃手段は、露光手段の露光面を清掃するための清掃部材と、清掃部材を支持する支持部材と、支持部材を移動可能に案内する案内部材とを有し、露光手段は、退避位置に移動されたときに、露光面が清掃手段によって清掃可能な位置に配置される。
【００１６】
この構成により、第２機体に備えられた露光手段の露光面を容易に清掃することができ、画像ムラの発生を抑制することができる。また、清掃手段が第２機体に取り付けられていることにより、清掃部材を容易に交換することができる。
【００１７】
請求項２に記載の発明によれば、支持部材は、主走査方向の一端部に清掃部材が設けられ、他端部には支持部材を移動させるための取手部を有し、支持部材を一端部の方向へ付勢する付勢手段が設けられ、取手部を移動させることによって、付勢手段に抗して支持部材が移動する。
【００１８】
支持部材は付勢手段によって付勢されているので、清掃後にユーザが取手部を離すだけで元の位置に戻る。これにより、支持部材は確実に収納される。
【００１９】
請求項３に記載の発明によれば、露光手段は、第２機体を開姿勢にしたときに、主走査方向において露光面が清掃部材よりも他端部側に配置される。
【００２０】
これにより、第２機体を開姿勢にしたときに、露光手段は支持部材と対向する位置に配置され、露光面と清掃部材とが互いに接触しない位置に配置される。このように、清掃が必要なときにだけユーザが清掃できるような構成にすることにより、清掃部材の摩耗を抑制することができる。
【００２１】
請求項４に記載の発明によれば、清掃手段の下方には、清掃手段から除去される除去物を受け止めるための除去物受止手段が備えられている。
【００２２】
この構成により、露光面から除去される除去物が第１機体に落下することを防止することができる。
【００２３】
請求項５に記載の発明によると、取手部は、第２機体を閉姿勢にしたときには第１機体内に収納され、第２機体を開姿勢にしたときのみ外部から操作可能になる。
【００２４】
このような構成にすることで、ユーザが不用意に清掃部材を移動することを防止することができる。さらには取手部が収納されていることで、取手部がユーザの邪魔になることがない。
【発明を実施するための最良の形態】
【００２５】
以下、添付した図面を参照して、本発明の第１の実施の形態について説明する。図１は、本発明のＬＥＤプリンタ５（請求項に記載の画像形成装置に相当）の全体を示す概略図である。図１におけるLEDプリンタ５は、図面左方向、右方向、奥方向及び手前方向をそ
れぞれ、前側、後側、左側及び右側とする。
【００２６】
図１において、上ケース１（請求項に記載の第２機体に相当）は、上面に開口部３ａ（請求項に記載の開口部に相当）を有するメカユニット３（請求項に記載の第１機体に相当）に対して、上ケース１の後方に設けられた回転支軸穴２とメカユニット３の後方に設けられた回転支軸４とにより回動自在に軸支されている。なお、図１において、上ケース１はメカユニット３に対して閉じた状態である（請求項に記載の閉姿勢に相当）。
【００２７】
メカユニット３には、記録用紙の搬送方向を示す矢印Ａ方向において、その上流から順にブラック（Ｋ）、シアン（Ｙ）、マゼンタ（Ｍ）、イエロー（Ｃ）に対応する４つのドラムユニット１０Ｋ,１０Ｙ,１０Ｍ,１０Ｃが着脱可能に配置されている。
【００２８】
各ドラムユニット１０Ｋ,１０Ｙ,１０Ｍ,１０Ｃには、感光体１１Ｋ,１１Ｙ,１１Ｍ,１１Ｃおよび各感光体１１Ｋ,１１Ｙ,１１Ｍ,１１Ｃに対応した転写ローラ１２Ｋ,１２Ｙ,
１２Ｍ,１２Ｃがそれぞれ備えられている。記録用紙は、感光体１１Ｋ,１１Ｙ,１１Ｍ,１１Ｃ対応して回転する転写ローラ１２Ｋ,１２Ｙ,１２Ｍ,１２Ｃとの協働で搬送ベルト１
４に吸着されて矢印Ａ方向に搬送され、順次所定色の画像が転写される。その後、記録用紙は定着器１６によって熱定着させられ、搬送ローラ１８によって、上ケース１に設けられた排紙トレイ１９へ排出される。
【００２９】
一方、上ケース１は、各ドラムユニット１０Ｋ,１０Ｙ,１０Ｍ,１０Ｃの感光体１１Ｋ,１１Ｙ,１１Ｍ,１１Ｃの周面に対応する位置で４つのＬＥＤユニット２０Ｋ,２０Ｙ,２０Ｍ,２０Ｃ（請求項に記載の露光手段に相当）がそれぞれ備えられている。ＬＥＤユニッ
ト２０Ｋ,２０Ｙ,２０Ｍ,２０Ｃの下部に設けられたＬＥＤヘッド（図示せず）は、主走
査方向に沿ってライン状に並べられたＬＥＤアレイと、セルフォックレンズアレイとをユニット化したものであり、ＬＥＤヘッドの光の照射方向の面である露光面２０ａを持つ。
【００３０】
ＬＥＤユニット２０Ｋ,２０Ｙ,２０Ｍ,２０Ｃは、各々対応する感光体１１Ｋ,１１Ｙ,
１１Ｍ,１１Ｃの周面に近接配置され（請求項に記載の露光位置に相当）、感光体１１Ｋ,１１Ｙ,１１Ｍ,１１Ｃの露光周面への露光が可能となる。各感光体１１Ｋ,１１Ｙ,１１Ｍ,１１Ｃは矢印Ｂ方向に回転し、感光体１１Ｋ,１１Ｙ,１１Ｍ,１１Ｃの左右方向（主走査方向）に沿ってライン状に露光される。また、上ケース１には、各ＬＥＤユニット２０Ｙ,２０Ｍ,２０Ｃ,２０Ｋに対応する清掃手段３０Ｋ,３０Ｙ,３０Ｍ,３０Ｃがそれぞれ設けられている。
【００３１】
なお、ドラムユニット１０、感光体１１、転写ローラ１２、ＬＥＤユニット２０及び清掃手段３０は、特別な記載がない限りすべて同じものとし、区別する必要がある場合には対応する色に（Ｋ），（Ｙ），（Ｍ），（Ｃ）を付して区別する。
【００３２】
図２は、図１の上ケース１をメカユニット３に対して閉じた状態から、上ケース１を開いた状態を示している（請求項に記載の開姿勢に相当）。上ケース１を開くと、この上ケース１に連動してＬＥＤユニット２０が回動し、ＬＥＤユニット２０の先端部に設けられたＬＥＤヘッドの露光面２０ａは、各々対応する清掃手段３０に対向するような位置に配置され、清掃可能な状態になる。
【００３３】
図３は、清掃手段３０の分解斜視図である。清掃手段３０は、ＬＥＤユニット２０の露光面２０ａを清掃するためのスポンジ部材３８（請求項に記載の清掃部材に相当）と、スポンジ部材３８を支持する支持部材４２と、支持部材４２を移動可能に案内する案内部材３６と、掻き落とされた除去物を受け止める除去物受止部材３５（請求項に記載の除去物受止手段に相当）とで構成されている。
【００３４】
除去物受止部材３５は、ＬＥＤユニット２０の露光面２０ａから掻き落とされた除去物（例えばトナーなど）を受け止めるために設けられており、除去物がドラムユニット１０や搬送ベルト１４に落下しないような構成になっている。詳しく説明すると、除去物受止部材３５は主走査方向（左右方向）に長手方向を持ち、上ケース１とほぼ直角に設けられた板部３５ａと、板部３５ａからほぼ直角に延設され、露光面２０ａから掻き落とされた除去物を受け止める受止部３５ｂとを有する。また、受止部３５ｂから直角方向に向かって塞止部３５ｃが延設されており、塞止部３５ｃは除去物が落下しないようにするために設けられている。
【００３５】
板部３５ａの上部は、上ケース１に取り付けられ支持されている。なお、清掃手段３０Ｍ,３０Ｃの板部３５ａは、清掃手段３０Ｋ,３０Ｙと比較して短くなっている（図１及び図２参照）。これは、清掃手段３０Ｍ,３０Ｃの上部に排紙トレイ１９が備えられており
、排紙トレイ１９の形状に沿って清掃手段３０が取り付けられているため、清掃手段３０Ｍ,３０Ｃの板部３５ａが短く構成されている。なお、本実施の形態の板部３５ａの長さ
は、３０Ｃ＜３０Ｍ＜３０Ｙ＝３０Ｋとなっているが、これに限らず排紙トレイ１９の形
状に合わせて長さを決めればよい。よって、例えば清掃手段３０Ｋ,３０Ｙ,３０Ｍ,３０
Ｃの板部３５ａがすべて同じ長さでもよい。
【００３６】
また、除去物受止部材３５の板部３５ａには、支持部材４２を案内するための案内部材３６が設けられている。案内部材３６は、長方形状の溝部３６aと、溝部３６ａを覆うよ
うに互いに向き合った保持部３６ｂとを有している。
【００３７】
支持部材４２は、主走査方向に細長く構成されており、左側端部（請求項に記載の一端部に相当）にはスポンジ部材３８が取り付けられており、右側端部（請求項に記載の他端部に相当）には取手部４２ａが備えられている。また、支持部材４２には、支持部材４２をスライドさせるためのスライド部材３４が設けられている。
【００３８】
スライド部材３４は、支持部材４２を介してスポンジ部材３８と反対側に備えられており、支持部材４２に対して直角方向に延びた腕部３４ａと、腕部３４ａに対して直角方向に延び、かつ長方形状を持つ係止部材３４ｂとで構成されている。
【００３９】
図４は、支持部材４２のスライド部材３４が案内部材３６に嵌められた様子を示す斜視図であり、図５はその側面図である。スライド部材３４は、案内部材３６の溝部３６ａにスライド可能に嵌められる。具体的には、スライド部材３４の係止部３４ｂが溝部３６ａに嵌められ、係止部３４ｂは案内部材３６の保持部３６ｂによって保持され、外れないようになっている。
【００４０】
また、腕部３４ａは互いに向き合った保持部３６ｂの間の孔に嵌められており、支持部材４２は、取手部４２ａを左右方向にスライドさせることでスライド部材３４が案内部材３６を移動するようになっている。
【００４１】
図６は、上ケース１が開姿勢の状態（図２の状態）の底面図である。なお、ここでは説明を分かりやすくするために、ＬＥＤユニット２０、支持部材４２、取手部４２ａ、スポンジ部材３８及びバネ部材５０（請求項に記載の付勢手段に相当）のみを描いている。
【００４２】
支持部材４２は、バネ部材５０が設けられており、バネ部材５０によって左方向に付勢されている。具体的には、バネ部材５０は、支持部材４２に設けられたバネ引掛部材５２ａと上ケース１に設けられたバネ引掛部材５２ｂとに引っ掛けられ、保持されている。なお、図６の状態では、支持部材４２は左側端部がバネ引掛部材５２ｂに当接し、バネ部材５０によって左方向に付勢され静止した状態になっている。
【００４３】
なお、図４及び図５においては、支持部材４２は取手部４２ａによって右方向に少し移動されており、スポンジ部材３８と露光面２０ａが当接した状態を示しているが、取手部４２ａを移動させない限り、支持部材４２は図６に示す位置に配置されている。
【００４４】
図６（上ケース１が開姿勢の状態）に示す状態とは、主走査方向においてスポンジ部材３８がＬＥＤユニット２０の露光面２０ａよりも左側の位置に配置されていることであり、左右方向においてスポンジ部材３８はＬＥＤユニット２０の露光面２０ａに当接しないようになっている。この状態から取手部４２ａを右方向にスライドさせることにより、露光面２０ａを清掃することができるようになっている。このように、清掃が必要なときにだけユーザが清掃できるような構成にすることにより、スポンジ部材３８の磨耗を抑制することができる。
【００４５】
また、バネ部材５０によって支持部材４２を左方向に付勢することで、清掃後にユーザが取手部４２ａを離すだけで元の位置に戻るようになっている。これにより、支持部材４
２は確実に収納される構成になっている。  
【００４６】
また、支持部材４２は、バネ部材５０をバネ引掛部材５２ａ,５２ｂから外すだけで案
内部材３６から外れる構成になっている。このように、清掃手段３０を上ケース１に設け、さらに支持部材４２ａをスライド式にすることにより、例えばスポンジ部材３８が磨耗や老朽してしまった場合であっても、スポンジ部材３８を容易に交換することができる。
【００４７】
また、スポンジ部材３８の形状は、図５に示すように上部から下部にかけて斜めになっている。これは、上ケース１を開姿勢にしたときに、ＬＥＤユニット２０は排紙トレイ１９に対して若干傾斜して静止するため（図２参照、請求項に記載の退避位置に相当）、露光面２０ａはスポンジ部材３８に対して平行ではなく斜めに当接することになる。よって、スポンジ部材３８は、スポンジ部材３８と露光面２０ａとが当接する面を傾斜させることで、互いに隙間なく当接することができる。
【００４８】
なお、上ケース１に対するＬＥＤユニット２０Ｃの傾斜角度は、ＬＥＤユニット２０Ｋ,２０Ｙ,２０Ｍと比較して大きくなっている。これは、ＬＥＤユニット２０Ｃの上部に排紙トレイ１９が備えられており、排紙トレイ１９の形状に沿ってＬＥＤユニット２０Ｙを取り付けるため、ＬＥＤユニット２０Ｃの傾斜角度が大きくなっている。なお、本実施の形態のＬＥＤユニット２０の傾斜角度は、２０Ｃ＞２０Ｋ＝２０Ｙ＝２０Ｍとなっている。
【００４９】
図７は、第１の実施の形態のＬＥＤプリンタ５の上ケース１が開いた様子を示す斜視図であり、図８は画像形成装置５の上ケース１が閉じた状態を示す斜視図である。なお、図７及び図８においては、説明を分かりやすくするためにＬＥＤユニット２０、支持部材４２、取手部４２ａ、及びスポンジ部材３８のみを描いている。
【００５０】
図７及び図８に示すように、支持部材４２及び取手部４２ａは、左右方向において上ケース１の幅よりも小さくなっている。また、図７及び図８には図示していないが除去物受止部材３５も上ケース１より小さく設けられており、清掃手段３０は上ケース１を閉姿勢にしたときにＬＥＤプリンタ５内に収まるようになっている。
【００５１】
また、図８から分かるように、取手部４２ａは、上下方向において上ケース１よりも下方になるように設けられている。つまり取手部４２ａは、上ケース１を閉姿勢にしたときにはメカユニット３内に収納され、上ケース１を開姿勢にした時には上ケースに当接することなく移動できるようになっている。このように、上ケース１を開姿勢にしたときのみ取手部４２ａを移動できることによって、ユーザが不用意にスポンジ部材３８を移動させることを防止することができる。さらには取手部４２ａが収納されていることで、取手部４２ａがユーザの邪魔になることがない。
【００５２】
図９は、本発明の第２の実施の形態のＬＥＤプリンタ５を示す斜視図である。図９に示すＬＥＤプリンタ５は、上ケース１が閉姿勢の状態であり、取手部４２ａが上ケース１から突出している。
【００５３】
第２の実施の形態において取手部４２ａはＬＥＤプリンタ５の外側に露出しているが、取手部４２ａを移動させたとしても、ＬＥＤユニット２０の露光面２０ａはスポンジ部材３８に当接しないので（図１参照）スポンジ部材３８が摩耗してしまうことがない。よって、取手部４２ａを収納するスペースが十分に確保できないときには、このような構成にしてもよい。
【図面の簡単な説明】
【００５４】
【図１】上ケース１が閉姿勢のＬＥＤプリンタの概略断面図である。
【図２】上ケース１が開姿勢のＬＥＤプリンタの概略断面図である。
【図３】清掃手段の分解斜視図である。
【図４】清掃手段及びＬＥＤユニットの斜視図である。
【図５】清掃手段及びＬＥＤユニットの側面図である。
【図６】上ケース１が開姿勢のときの上ケース１の底面図である。
【図７】上ケース１が開姿勢のＬＥＤプリンタの斜視図である。
【図８】上ケース１が閉姿勢のＬＥＤプリンタの斜視図である。
【図９】上ケース１が閉姿勢の第２の実施の形態のＬＥＤプリンタの斜視図である。
【図１０】従来のＬＥＤプリンタの概略断面図である。
【符号の説明】
【００５５】
１…上ケース（第２機体）
３…メカユニット（第１機体）
５…ＬＥＤプリンタ（画像形成装置）
１０…ドラムユニット
１１…感光体
１２…転写ローラ
１４…搬送ベルト
１９…排紙トレイ
２０…ＬＥＤユニット（露光手段）
２０ａ…露光面
３０…清掃手段
３４…スライド部材
３４ ａ…腕部
３４ｂ…係止部
３５…除去物受止部材（除去物受止手段）
３５ａ…板部
３５ｂ…受止部
３５ｃ…塞止部
３６…案内部材
３６ａ…溝部
３６ｂ…保持部
３８…スポンジ部材（清掃部材）
４２…支持部材
４２ａ…取手部
【図１】
2009086151.tif 000003
【図２】
2009086151.tif 000004
【図３】
2009086151.tif 000005
【図４】
2009086151.tif 000006
【図５】
2009086151.tif 000007
【図６】
2009086151.tif 000008
【図７】
2009086151.tif 000009
【図８】
2009086151.tif 000010
【図９】
2009086151.tif 000011
【図１０】
2009086151.tif 000012